(57)【特許請求の範囲】
【請求項１】
小魚を模した外観形状となるように形成されたルアーボディの先端部付近に、適度に前下がり傾斜するリップを付設してなる釣り用ルアーであって、
前記ルアーボディの中空内部に前部付近から後部にかけてガイドシャフトを設けると共に、このガイドシャフトに装着されたリニアブッシュが前記ガイドシャフトに沿って前後にスライド可能とし、
前記ガイドシャフトの前端付近に配置されたマグネットに前記リニアブッシュが磁着保持されるようにしたことを特徴とする釣り用ルアー。
【請求項２】
合成樹脂材料により真直棒状に形成された前記ガイドシャフトの外周面で、前記リニアブッシュに内蔵された複数のボールが転動することを特徴とする請求項１に記載の釣り用ルアー。
【請求項３】
前記リニアブッシュは、バランスウェイトとして機能することを特徴とする請求項１又は２に記載の釣り用ルアー。
【発明の詳細な説明】
【技術分野】
【０００１】
本発明は釣り用ルアー、特にバランスウェイトがルアーボディ内で移動可能にしたルアーに関する。
【背景技術】
【０００２】
ルアー釣りにおいて、対象魚の種類等に応じて様々な形態や工夫が施されたルアーが考案されている。例えば所謂、フィッシュイーターと呼ばれる主に小魚を常食餌とする大型の対象魚の場合等において、小魚に似せた形態のルアーが使用される。対象魚を誘い、つまり対象魚に対して強くアピールする集魚効果を得るために、ルアーの形や色彩等につき工夫がなされている。
【０００３】
この種のルアーにおいて、キャスティング時のルアーの飛距離を出すために、ウェイトをルアーの後方へ移動させ、リトリーブ時にルアーの前部あるいは中央部付近に戻す機構（重心移動機構）が採用される。従来の重心移動システムとしては、ウェイト（主に球形状のもの）がルアー内部の溝に沿って転動する方式と、中通しのウェイト（主に円柱形状のもの）がワイヤを伝って移動する方式との２つの方式に大別される。
【０００４】
上記のような重心移動式ルアーとして、例えば特許文献１や特許文献２等に開示されるようなルアーが知られている。
【先行技術文献】
【特許文献】
【０００５】
【特許文献１】特開平１１−３４６６０１号公報
【特許文献２】特開２００８−２５３２０５号公報
【発明の概要】
【発明が解決しようとする課題】
【０００６】
上記のような従来ルアーにおいて、キャスティングからリトリーブまでの一連の動作中に、機械的摩擦等の要因でウェイトを円滑に移動させるのは必ずしも容易でなかった。また、このことがルアーアクションに影響する場合があり、結果的に魚に対するアピール効果にも影響が生じる。
【０００７】
本発明はかかる実情に鑑み、ウェイトの円滑且つ効果的な移動動作を実現する釣り用ルアーを提供することを目的とする。
【課題を解決するための手段】
【０００８】
本発明による釣り用ルアーは、小魚を模した外観形状となるように形成されたルアーボディの先端部付近に、適度に前下がり傾斜するリップを付設してなる釣り用ルアーであって、前記ルアーボディの中空内部に前部付近から後部にかけてガイドシャフトを設けると共に、このガイドシャフトに装着されたリニアブッシュが前記ガイドシャフトに沿って前後にスライド可能とし、前記ガイドシャフトの前端付近に配置されたマグネットに前記リニアブッシュが磁着保持されるようにしたことを特徴とする。
【０００９】
また、本発明の釣り用ルアーにおいて、合成樹脂材料により真直棒状に形成された前記ガイドシャフトの外周面で、前記リニアブッシュに内蔵された複数のボールが転動することを特徴とする。
【００１０】
また、本発明の釣り用ルアーにおいて、前記リニアブッシュは、バランスウェイトとして機能することを特徴とする。
【発明の効果】
【００１１】
本発明によれば、マグネットから外れたリニアブッシュの遠心力が、キャスティング方向への慣性力へとロスなく変換され、円滑且つ素早いキャスティングを実現し、タイミングを逃すことなくリリースすることができる。
また、リニアブッシュの前部への移動時の摩擦係数が最も小さく、ルアーの前傾角度が僅少な状態でリニアブッシュが前部へと移動し、リトリーブ開始と同時にルアーが即座に泳ぎ始める。
【図面の簡単な説明】
【００１２】
【図１】本発明の実施形態におけるルアーの構成例を示す側断面図である。
【図２】本発明の実施形態に係るリニアブッシュ及びガイドシャフトの構成例を示す側面図及び断面図である。
【図３】本発明の実施形態に係るリニアブッシュの具体的構成例を示す斜視図である。
【図４】本発明の実施形態に係るルアーにおけるキャスティング時の代表的なロッドアクションの例を模式的に示す図である。
【図５】本発明の実施形態に係るルアーにおけるキャスティング時のリニアブッシュの挙動を示す図である。
【図６】本発明の実施形態に係るルアーにおけるキャスティング後の着水時の状態を示す図である。
【図７】本発明の実施形態に係るルアーにおける着水後のリトリーブ時の状態を示す図である。
【図８】本発明のルアーに係るリニアブッシュの変形例等をそれぞれ示す図である。
【発明を実施するための形態】
【００１３】
以下、図面に基づき、本発明における釣り用ルアーの好適な実施の形態を説明する。
図１は、この実施形態における釣り用ルアー１０の例を示している。図１において、１１はルアーボディであり、このルアーボディ１１は合成樹脂等の材料により小魚に似せた外観形状となるように形成されている。この場合、ルアーボディ１１の長手方向（前後方向）に沿って左右二分した２つのボディハーフを相互に当接させることで一体化し、中空構造を有する。
【００１４】
また、１２はルアーボディ１１の先端部に設けた糸環であり、この糸環１２に釣糸もしくはライン１３が結び付けられる。更に、１４〜１６はそれぞれフックハンガであり、これらにそれぞれスプリットリング１７を介してフロントフック（釣針）１８、ミドルフック１９及びリヤフック２０が係着する。２１はルアーボディ１１の先端部下側に付設したリップ（潜水板）である。このリップ２１は薄い板状に形成され、ルアーボディ１１に対して適度に下方に傾斜（典型的には前下がり）するように設けられる。ライン１３を引くことで、リップ２１が受けた水流抵抗によりルアー１０は前傾して潜行姿勢をとることができる。
【００１５】
本発明のルアー１０において、ルアーボディ１１の中空内部にはその前部付近から後部にかけて長手方向に沿ってガイドシャフト２２が設けられると共に、このガイドシャフト２２に装着されたリニアブッシュ２３がガイドシャフト２２上を前後にスライド可能になっている。
ガイドシャフト２２は合成樹脂材料等（好適にはポリアセタール等）により真直な棒状に形成され、円形断面形状を有する。ルアーボディ１１内部には前部付近と後部付近にそれぞれリブ２４，２５が設けられ、これらのリブ２４，２５によってガイドシャフト２２の前後端が固定支持される。
【００１６】
リニアブッシュ２３は、その一部がステンレス鋼やタングステン等の金属により形成され、バランスウェイトとして機能するが、図２（Ａ），（Ｂ）に示すように後述する直動軸受（もしくはリニア軸受）として構成されるブッシュ本体２６の前後両側に典型的には磁石として構成されるウェイト２７が結合してなる。ブッシュ本体２６の内周面側には、ガイドシャフト２２の長手方向に沿って複数のボール２８が配列されたものが複数条配設される。全てのボール２８は図示しないリテーナによってブッシュ本体２６の内周面側に保持され、挿入されたガイドシャフト２２の外周面に対して転動可動となる。
なお、ブッシュ本体２６及びウェイト２７は上記とは逆の構成、即ちウェイト２７の両側にブッシュ本体２６が結合してなるものであってもよい。また、ウェイト２７の代わりに、同様な形状寸法を有する磁化されていないステンレス鋼製のものでも実施可能である。
【００１７】
上記のようにガイドシャフト２２に装着されたリニアブッシュ２３は、ガイドシャフト２２に沿って前後にスライド可能である。そしてリニアブッシュ２３は、そのスライド位置に応じてルアー１０全体の重心位置を変えることができ、即ちバランスウェイトとして機能する。リニアブッシュ２３がガイドシャフト２２の前端までスライド移動して（スイムポジション）、後述のマグネット２９の磁力により磁着保持されることで、遊泳に適した前傾姿勢をとることができる。
【００１８】
ここで、ブッシュ本体２６について更に具体的に説明する。ブッシュ本体２６を構成する直動軸受は所謂、球体無限循環型の転がり軸受であり、図３に示したように直動軸受３０は外筒３１と、外筒３１の内側に装着されたリテーナ３２と、リテーナ３２により保持される前述のボール２８とから構成され、ボール２８はリテーナ３２に無限循環可能に収容される。この場合、直動軸受３０の両端面からボール２８が脱落するのを防止するために外筒３１の両端面の内側周面に抜け止め用の止め輪３３（もしくはシール）が付設される。なお、図示を省略するが、外筒３１の外周には筒状に成形した磁石が外筒３１と同軸に装着固定される。
【００１９】
上記の場合、直動軸受３０のボール２８は、非磁性球体であるのが好ましい。また、ガイドシャフト２２及び外筒３１やリテーナ３２についても非磁性材料により形成されることが好ましい。非磁性材料としては例えば、非磁性金属あるいは合成樹脂材料及びセラミック材料等が好適である。
【００２０】
図１を参照して、ルアーボディ１１の前部付近にはマグネット２９が配置固定される。リニアブッシュ２３はマグネット２９の磁力により磁着保持可能である。本例ではリブ２４を利用してガイドシャフト２２の前端付近にマグネット２９が装着される。マグネット２９として、ネオジム磁石が好適である。
【００２１】
図４（Ａ），（Ｂ），（Ｃ）はキャスティング時の代表的なロッドアクション（釣り竿１の操作）の例を示し、図５（Ａ），（Ｂ），（Ｃ）は各ロッドアクションに対応するルアーボディ１１内のリニアブッシュ２３の挙動を示している。図４（Ａ）に示すキャスティング当初には図５（Ａ）のようにリニアブッシュ２３はマグネット２９の磁力によりルアーボディ１１の前部（頭部側）に磁着保持されている。図４（Ｂ）のようにキャスティングされることで、図５（Ｂ）のようにリニアブッシュ２３はマグネット２９から外れて、ガイドシャフト２２に沿ってルアーボディ１１の後部（尾部側）へと向けて移動する。更に、図４（Ｃ）のようにリリース時には図５（Ｃ）のようにリニアブッシュ２３は、ルアーボディ１１の後部まで完全に移動する。
【００２２】
キャスティング後、図６のように着水時にはリニアブッシュ２３は、ルアーボディ１１の後部に移動している。着水後、リトリーブすることにより図７のようにリップ２１が受けた水流抵抗によりルアーボディ１１の前部（頭部側）が下方へ回動する。この場合、ルアーボディ１１が３°程度前傾することで、リニアブッシュ２３は滑らかに前方へスライドし、そのままマグネット２９に磁着保持される。これによりルアー１０は所望の潜行姿勢をとることができる。
【００２３】
本発明のルアー１０において、キャスティング時の遠心力によりバランスウェイトとしてのリニアブッシュ２３が、マグネット２９の磁力を振り切って後部に移動する。この場合、キャスティングリリースの瞬間にリニアブッシュ２３が後部へ移動するようにマグネット２９及びリニアブッシュ２３間に生じる磁力を調整することで、マグネット２９から外れたリニアブッシュ２３の遠心力が、キャスティング方向を指向する慣性力へとロスなく変換される。これにより円滑且つ素早いキャスティングを実現し、タイミングを逃すことなくリリースすることができる。
【００２４】
また、ルアー１０の着水後にライン１３を適度に引いて前傾姿勢をとった瞬間に、バランスウェイトとしてのリニアブッシュ２３がルアーボディ１１の前部に移動してマグネット２９の磁力で固定される。この移動時、ブッシュ本体２６のボール２８は、合成樹脂製のガイドシャフト２２の平滑な外周面上で転動する。このため従来のバランスウェイトと比較してリニアブッシュ２３の移動時の摩擦係数が最も小さく、ルアー１０の前傾角度が僅少な状態でリニアブッシュ２３が前部側へと移動し、これによりリトリーブ開始と同時にルアー１０が即座に泳ぎ始めることができる。
【００２５】
ちなみに、金属製のワイヤが貫通する金属製ウェイト等にあっては、ワイヤによってガイドされながら移動する際、ウェイトが受ける摩擦抵抗のために円滑動作が阻害されることがある。このためウェイトはギクシャクとした動きになり、そのままでは意図する釣りタイミングを逸してしまい、ひいては釣果に影響する。
【００２６】
ここで、図８を参照してリニアブッシュ２３の変形例等を説明する。リニアブッシュ２３の基本的構成は図８（Ａ）に示すように、上述のようにブッシュ本体２６及びウェイト２７が結合してなるが、図８（Ｂ）〜図８（Ｅ）に示すように両者は一体化せず、即ち分離して構成し、更にそれらの個数を増設することも可能である。
例えば図８（Ｂ）あるいは図８（Ｃ）のようにいずれか一方のウェイト２７がブッシュ本体２６から分離される。
【００２７】
また、図８（Ｄ）あるいは図８（Ｅ）のようにいずれか一方のウェイト２７側に更なるウェイト２７が増設される。なお、図示を省略するが、リニアブッシュ２３の両側のウェイト２７の双方に対してウェイト２７を増設することもでき、いずれの場合も合計で２個あるいは３個以上のウェイト２７を増設することも可能である。
【００２８】
各変形例においてリニアブッシュ２３（ブッシュ本体２６、ウェイト２７）は上記同様に、ガイドシャフト２２に沿って円滑にスライドする。これに加えて、図８（Ｂ）〜図８（Ｅ）のようにブッシュ本体２６及びウェイト２７を分離し、あるいはウェイト２７を増設することで、リニアブッシュ２３としてガイドシャフト２２上で不規則あるいは変則的な特殊な動作をする。これによりルアー１０の着水後の遊泳時に対象魚に対してアピール効果の高いルアーアクションを実現することができ、この点でも高い釣果を期待することができる。
【００２９】
以上、本発明を種々の実施形態と共に説明したが、本発明はこれらの実施形態にのみ限定されるものではなく、本発明の範囲内で変更等が可能である。
本発明は上記実施形態に係るルアーの他に、フックを有するタイプのものに対して同様に適用可能であり、上記実施形態と同様な作用効果を得る。
【符号の説明】
【００３０】
１０  ルアー、１１  ルアーボディ、１２  糸環、１３  ライン、１４〜１６  フックハンガ、１７  スプリットリング、１８  フロントフック、１９  ミドルフック、２０  リヤ、２１  リップ、２２  ガイドシャフト、２３  リニアブッシュ、２４，２５  リブ、２６  ブッシュ本体、２７  ウェイト、２８  ボール、２９  マグネット、３０  直動軸受、３１  外筒、３２  リテーナ、３３  止め輪。
【図１】
0006388521.tif 000002
【図２】
0006388521.tif 000003
【図３】
0006388521.tif 000004
【図４】
0006388521.tif 000005
【図５】
0006388521.tif 000006
【図６】
0006388521.tif 000007
【図７】
0006388521.tif 000008
【図８】
0006388521.tif 000009